(57)【特許請求の範囲】
【請求項１】
電気部品を内部に収容するケーシングと、
このケーシングの内部を外部に連通させるように前記ケーシングに設けられた通気口と、
この通気口を塞ぐための通気防水シートと、
前記ケーシングの外面部のうち、前記通気口の周囲から前記ケーシングの外方に向けて突出し、かつ内部が前記通気口に連通している筒状突出部と、
を備えている、浴室設置機器であって、
前記通気防水シートは、前記筒状突出部内に挿入され、かつ前記ケーシングの外面部に対面するようにして前記通気口よりも外側に設けられており、
前記通気口は、前記ケーシングの外方寄りに設けられた凹状部と、前記ケーシングの内方寄りに設けられた孔部と、を有しており、
この孔部は、前記凹状部よりも内径が小さく、かつ一端が前記凹状部の奥部に開口するようにして前記凹状部に繋がるとともに、他端が前記ケーシングの内部に開口していることを特徴とする、浴室設置機器。
【請求項２】
請求項１に記載の浴室設置機器であって、
前記筒状突出部は、前記ケーシングの気密シール性能を検査する際に空気圧供給用の配管部材を接続するための接続部として利用される部分である、浴室設置機器。
【発明の詳細な説明】
【技術分野】
【０００１】
本発明は、風呂給湯用のリモコン、浴槽への湯水供給切替え用のバルブユニット、あるいはその他の電気機器など、浴室に設置されて使用される浴室設置機器に関する。
【背景技術】
【０００２】
従来、浴室設置機器の具体例として、特許文献１に記載されたものがある。同文献に記載された浴室設置機器は、風呂給湯用のリモコンであり、浴室の壁面に設置して使用される。このリモコンは、電気回路を収容したケーシングに、通気口が設けられた構成を有している。前記ケーシングのうち、通気口が形成された箇所の外面部および内面部には、ケーシングの内側および外側に向けて突出した２つの筒状部が設けられており、内側の筒状部の内部には、通気防水シート（多孔質膜）が挿入されている。この通気防水シートは、通気性を有する反面、通水性を有しないシートである。通気口は、通気防水シートによって塞がれているために、リモコンの外部から通気口を通過してリモコン内に水が進入することは防止される。一方、リモコン内の温度が上昇してその内圧が高まった際には、リモコン内の空気を通気口から外部に逃がし、リモコンの内圧の異常上昇を防止することが可能である。なお、ケーシングの外面部に設けられた外側の筒状部には、切り込みを有するパイプが適宜嵌合装着される。このパイプは、釘などによって通気防水シートに穴が開けられることを防止するのに役立つ。
【０００３】
しかしながら、前記従来技術においては、次に述べるように、未だ改善すべき余地があった。
【０００４】
第１に、通気防水シートは、リモコンのケーシングの内側に設けられており、通気口の外側を塞いだ構成にはなっていない。このため、ケーシングの通気口の形成箇所に水が万一掛かった場合には、通気口内に水が進入する可能性がある。通気口内に水が進入すると、この通気口は水によって塞がれてしまう。前記従来技術においては、通気口の外側にパイプが設けられているために、通気口に水が進入することはパイプの存在によってある程度防止されるものの、たとえばパイプが適切に装着されていないような場合においては、通気口に水が進入する虞があり、このような場合には通気口に水膜が形成されて通気口が塞がれる。このような事態を生じたのでは、通気性能が低下する。
【０００５】
第２に、浴室に設置されるリモコンは、優れた防水性能が必要とされるために、リモコンを製造した後においては、リモコンが所定の防水性能を有しているか否かを検査することが望まれる。この検査は、たとえば通気口を利用してリモコンのケーシング内に空気を供給し、ケーシング内の圧力変化を観察することにより、空気漏れがあるか否かを判断することにより行なうことが可能である。
これに対し、従来においては、防水性能の検査に通気口を利用することは適切に考慮されておらず、通気防水シートは、ケーシングの内側に接着された構造とされている。これでは、リモコンの防水性能の検査後に通気防水シートを装着するといったことはできず、検査を行なう際には、通気口が通気防水シートによって塞がれた状態においてこの通気口からケーシング内に空気供給しなければならない。この場合、通気防水シートは、空気供給に対する大きな抵抗となる。したがって、防水性能の検査を円滑かつ適正に進める上で不具合を生じる虞がある。また、ケーシングに対して通気防水シートが接着された方向は、前記の空気供給方向とは反対であるために、通気防水シートが防水性能の検査時においてケーシングから剥離し易くなる不具合もある。
【先行技術文献】
【特許文献】
【０００６】
【特許文献１】特開平７−１３１８７２号公報
【発明の概要】
【発明が解決しようとする課題】
【０００７】
本発明は、前記したような事情のもとで考え出されたものであって、通気口に水が進入して通気性能が低下するといった不具合を生じさせず、かつ通気口を利用した防水性能の検査などを適切に行なうことが可能な浴室設置機器を提供することを、その課題としている。
【課題を解決するための手段】
【０００８】
上記の課題を解決するため、本発明では、次の技術的手段を講じている。
【０００９】
本発明により提供される浴室設置機器は、電気部品を内部に収容するケーシングと、このケーシングの内部を外部に連通させるように前記ケーシングに設けられた通気口と、この通気口を塞ぐための通気防水シートと、前記ケーシングの外面部のうち、前記通気口の周囲から前記ケーシングの外方に向けて突出し、かつ内部が前記通気口に連通している筒状突出部と、を備えている、浴室設置機器であって、前記通気防水シートは、前記筒状突出部内に挿入され、かつ前記ケーシングの外面部に対面するようにして前記通気口よりも外側に設けられており、前記通気口は、前記ケーシングの外方寄りに設けられた凹状部と、前記ケーシングの内方寄りに設けられた孔部と、を有しており、この孔部は、前記凹状部よりも内径が小さく、かつ一端が前記凹状部の奥部に開口するようにして前記凹状部に繋がるとともに、他端が前記ケーシングの内部に開口していることを特徴としている。
好ましくは、前記筒状突出部は、前記ケーシングの気密シール性能を検査する際に空気圧供給用の配管部材を接続するための接続部として利用される部分である。
【００１０】
本発明によれば、次のような効果が得られる。
第１に、通気防水シートは通気口よりも外側に設けられているために、通気口内に水が進入することは通気防水シートの存在によって防止される。このため、従来技術とは異なり、通気口内に水が進入し、かつこの水によって通気口が塞がれることも適切に防止され、通気性能が低下することを回避することができる。
第２に、通気防水シートは通気口よりも外側に位置してケーシングの外面部に対面して設けられた構成であるために、この通気防水シートについては、通気口を利用してケーシングの防水性能を検査した後において、ケーシングに設けることが可能である。すなわち、ケーシングの防水性能の検査を行なう際には、通気防水シートが未だ筒状突出部内に挿入されていない状態として、通気口からケーシング内に空気圧供給を行なうことができる。したがって、このような空気圧供給時において、通気防水シートが大きな抵抗となることはなく、前記の検査を円滑かつ適正に行なうことができる。なお、仮に、前記の検査時において通気防水シートが筒状突出部内に既に挿入されていたとしても、前記空気圧は通気防水シートをケーシングから剥離させる方向の力としては作用しないこととなる。したがって、浴室設置機器の防水性能の検査を行なう際に通気防水シートが剥離し易くなるといった不具合も適切に回避される。
【００１２】
さらに、前記構成によれば、次のような効果も得られる。
すなわち、通気防水シートは、通気口のうち、大径部分である凹状部と対面しているために、通気防水シートが通気口の小径部分に対面している場合とは異なり、通気防水シートに目詰まりを生じ難くすることができる。一方、通気防水シートは、水は不透過であるものの、水蒸気については透過させる特性がある。これに対し、前記構成によれば、通気口が小径部分である孔部を有しているために、通気口を通過する水蒸気の量を絞り、ケーシング内に進入する水蒸気の量を少なくすることが可能である。このことにより、ケーシング内の高湿化を抑制することができる。とくに、前記構成によれば、凹状部と孔部との境界部分においてそれらの内径が急変した構造となっているために、通気口の内径が急変することなく滑らかに変化した構成の場合と比較すると、水蒸気が通気口をより通過し難くなり、ケーシング内に多くの水蒸気が進入することを防止する上で一層好ましいものとなる。
【００１３】
本発明のその他の特徴および利点は、添付図面を参照して以下に行なう発明の実施の形態の説明から、より明らかになるであろう。
【図面の簡単な説明】
【００１４】
【図１】（ａ）は、本発明が適用されたバルブユニットの一例を示す断面図であり、（ｂ）は、（ａ）のIb−Ib断面図であり、（ｃ）は、（ａ）のIc部分の拡大断面図である。
【図２】（ａ）は、図１に示したバルブユニットの気密シール性能を検査する状態の一例を示す説明図であり、（ｂ）は、（ａ）のIIb部分の拡大断面図である。
【図３】（ａ），（ｂ）は、図１に示したバルブユニットの気密シール性能を検査する際の他の例を示す要部拡大断面図である。
【図４】本発明が適用された浴槽排水栓用の駆動ユニットの一例を示す断面図である。
【図５】本発明が適用された風呂給湯用のリモコンの一例を示す断面図である。
【発明を実施するための形態】
【００１５】
以下、本発明の好ましい実施の形態について、図面を参照して具体的に説明する。
【００１６】
図１は、浴室設置機器としてのバルブユニットＡ１を示している。このバルブユニットＡ１は、浴室内のうち、たとえば浴槽と浴室の壁部との間のスペース、あるいは浴槽エプロンの内側のスペースに設置され、浴槽への湯水供給と浴室の排水パンへの凝縮水の排水動作とを切り替えるのに利用される。
【００１７】
より詳細に説明すると、バルブユニットＡ１は、樹脂製のケーシング１Ａ内に、モータＭ１によって駆動される弁体２０、モータ制御用の回路基板３Ａ、弁体２０によって流体流れ方向が切り替えられる第１ないし第３の流路２１ａ〜２１ｃを形成する各種の部材が収容された構成を有している。ケーシング１Ａには、通気口４、通気防水シート５、および筒状突出部６が設けられているが、これらの詳細については後述する。
【００１８】
第１ないし第３の流路２１ａ〜２１ｃは、ケーシング１Ａの外部に突出した第１ないし第３の管体部２２ａ〜２２ｃを利用して構成されており、第１の管体部２２ａは、浴室の外部に設置される潜熱回収型の給湯器（図示略）に配管接続される。第２の管体部２２ｂは、浴槽の循環アダプタに配管接続され、第３の管体部２２ｃは、浴室の排水パンに凝縮水を導くための配管が接続される。第１の流路２１ａには、給湯器から湯水または凝縮水が供給されてくる。凝縮水は、給湯器において、たとえばバーナによって発生された燃焼ガスから熱交換器を利用して潜熱が回収されることに伴って発生する。この凝縮水が第１の流路２１ａに供給されてくる際には、弁体２０は図１（ａ）の状態に設定される。このことにより、前記凝縮水は第１の流路２１ａから第３の流路２１ｃに導かれて、浴室の排水パンに排出される。一方、給湯器から第１の流路２１ａに湯水が供給されてくる場合には、モータＭ１の駆動によって弁体２０が回転されて、この弁体２０の一端開口２０ａが第２の流路２１ｂに対面するように設定される（図示略）。このことにより、第１の流路２１ａに供給された湯水は第２の流路２１ｂに流れ、その後浴槽内に供給される。
【００１９】
ケーシング１Ａは、通気口４の形成箇所を除き、気密シールが適宜図られた密閉構造とされている（流路２１ａ〜２１ｃへの湯水や凝縮水の流入は除く）。通気口４は、ケーシング１Ａ内の温度上昇時にはケーシング１Ａ内の空気を外部に逃がす一方、温度下降時には外部からケーシング１Ａ内への空気流入を可能とする部分であり、また後述するように、ケーシング１Ａの気密シール性能を検査するための検圧口としても利用される部位である。図１（ｃ）によく表われているように、この通気口４は、ケーシング１Ａの下壁部１０に貫通して設けられた貫通孔であるが、下向き開口状に形成された凹状部４０の上側に孔部４１が繋がって設けられた構成である。この孔部４１は、凹状部４０よりも小径である。
【００２０】
筒状突出部６は、通気防水シート５の保持部としての役割を果たす他、図２を参照して後述するように、ケーシング１Ａの気密シール性能を検査する際の管体接続用の接続部として利用される部分である。この筒状突出部６は、ケーシング１Ａの下壁部１０の外面部（下向き面）のうち、通気口４の周囲から下向きに突出した円筒状であり、ケーシング１Ａと一体成形されている。
【００２１】
通気防水シート５は、通気口４の凹状部４０よりも大径の円形状であり、筒状突出部６内にその下方側から挿入され、かつ接着剤層５１を介してケーシング１Ａの下壁部１０の外面部に接着されている。ただし、好ましくは、この通気防水シート５のケーシング１Ａへの装着は、ケーシング１Ａの防水性能の検査を終えた後に行なわれる。通気防水シート５は、従来技術のものと同様に、通気性を有する反面、通水性は有しない特性をもつ多孔質状のシートである。本実施形態では、通気防水シート５の固定装着をより確実にするための手段として、ＣＲ型止め輪５２も用いられている。この止め輪５２は、図１（ｃ）の仮想線で示すように、リング部５２ａの外周に複数の凸部５２ｂが連設されたものであり、凸部５２ｂを折り曲げるようにして筒状突出部６内に挿入され、通気防水シート５の下面側を上向きに押圧するように装着される。
【００２２】
次に、前記したバルブユニットＡ１の作用について説明する。
【００２３】
まず、バルブユニットＡ１の製造後には、ケーシング１Ａの気密シール性能（密閉性または防水性）が検査される。ただし、この検査は、ケーシング１Ａに通気防水シート５を未だ装着していない状態で行なう。図２に示すように、前記の検査を行なうには、たとえば筒状突出部６に空気圧供給用の機器７の配管部材７０を接続し、機器７から通気口４を介して所定の空気圧をケーシング１Ａ内に供給する。また、この機器７が備える圧力計を利用し、ケーシング１Ａ内の圧力変化（配管部材７０内またはこれに連通する箇所の空気圧の変化）を測定する。ケーシング１Ａが適切な気密シール性能を有さない場合には、空気漏れを生じて前記の空気圧が低下するため、このようなことに基づいて、ケーシング１Ａの気密シール性能が適正であるか否かを判断することができる。前記したような検査に際し、筒状突出部６は、配管部材７０用の接続部として適切に利用することができるために、便利である。
【００２４】
図２（ｂ）においては、筒状突出部６に配管部材７０を外嵌させた例を示しているが、これに代えて、たとえば図３に示すような態様とすることもできる。図３（ａ）では、筒状突出部６に配管部材７０が嵌入されている。同図（ｂ）では、筒状突出部６の先端部に配管部材７０のリング状のシール部材７１が当接している。この場合、好ましくは、筒状突出部６とシール部材７１とのシール性を良好とすべく、筒状突出部６の先端部は丸みを帯びた形態とされている。このように、配管部材７０の接続対象として筒状突出部６を利用すれば、配管部材７０を接続する際のバリエーションを多くすることができ、融通性に優れたものとなる。
【００２５】
前記した気密シール性能の検査を行なう場合、通気防水シート５を非装着状態としておけば、通気防水シート５が空気供給の抵抗になることが回避され、前記検査を円滑かつ適正に行なうことが可能である。通気防水シート５は、ケーシング１Ａの外面側に設ければよいために、前記検査を終えた後においてケーシング１Ａに対する装着する作業も容易である。
【００２６】
前記とは異なり、気密シール性能の検査を行なう際に、通気防水シート５が予め装着されていた場合であっても、通気口４の通気性は確保されているために、気密シール性能の検査を行なうことは可能である。この場合、通気防水シート５は空気圧を受けるものの、この空気圧は通気防水シート５をケーシング１Ａの外面に押し付けるように作用する。このため、前記の空気圧に起因して通気防水シート５がケーシング１Ａから剥離するといった不具合は生じないようにすることができる。
【００２７】
なお、バルブユニットＡ１の使用時において、モータＭ１から発散する熱などに起因してケーシング１Ａ内の温度上昇が生じ、ケーシング１Ａ内の空気が通気口４を通過して外部に流出する際には、この空気流は通気防水シート５を剥離させる方向に作用する。しかし、前記の空気流は、ケーシング１Ａ内の温度および圧力の上昇に伴って緩やかに発生するものであって、気密シール性能の検査時の空気圧と比較するとその圧力は相当に低く、前記空気流に起因して通気防水シート５が剥離する虞も少ない。本実施形態では、ＣＲ型止め輪５２を用いて通気防水シート５の固定を図っているために、通気防水シート５の不当な剥離あるいは位置ずれなどはより確実に防止される。
【００２８】
バルブユニットＡ１は、前記したように、たとえば浴槽と浴室の壁部との間に形成された略密閉状のスペースに設置されるために、通常であれば、バルブユニットＡ１に湯水が直接掛かる虞は殆どない。ただし、様々な事情に起因してバルブユニットＡ１に湯水が掛かる場合はあり得るし、バルブユニットＡ１を浴室に設置する前の段階で水が掛かる場合もある（この点は、後述する他の浴室設置機器も同様）。これに対し、本実施形態では、通気防水シート５が通気口４よりも下側（ケーシング１Ａの外側）に設けられた状態で通気口４を塞いでいるために、通気口４の形成箇所に向けてその下方から湯水が飛散するような事態を生じても、この湯水は通気防水シート５に遮られ、通気口４に進入することはない。通気口４に湯水が進入して水膜が形成されると、通気性が低下するが、本実施形態ではそのような不利を生じないようにすることが可能である。
【００２９】
通気防水シート５は、通気口４のうち、比較的大径の凹状部４０と対面している。このため、通気防水シート５は、目詰まりを生じ難い。すなわち、本実施形態とは異なり、通気口４に凹状部４０が設けられておらず、通気防水シート５が小径の孔部４１に直接対面した構成とされていた場合には、小径の孔部４１に対面する部分にダスト類が付着した場合に、その部分が小面積であるが故に容易に目詰まりする虞があるが、本実施形態によれば、そのような虞を解消することができる。一方、通気口４は、小径の孔部４１を有しているために、水蒸気が通気防水シート５を透過した際に、ケーシング１Ａ内への水蒸気の流入量を少なくし、ケーシング１Ａ内が高湿化することを抑制する効果も得られる。凹状部４０と孔部４１との境界部分においては、それらの内径が急変しており、通気口４は水蒸気の流れに対する抵抗（流路抵抗に相当する）が大きいために、水蒸気の流入量を絞る効果が高く、ケーシング１Ａ内の高湿化を防止する上で一層好ましいものとなる。
【００３０】
図４および図５は、本発明の他の実施形態を示している。これらの図において、前記実施形態と同一または類似の要素には、前記実施形態と同一の符号を付している。
【００３１】
図４は、浴室設置機器としての浴槽排水栓用の駆動ユニットＡ２を示している。この駆
動ユニットＡ２は、浴槽の排水栓を遠隔操作によって開閉動作させるためのものである。この駆動ユニットＡ２は、ケーシング１Ｂ内に、カム８０を回転させるためのモータＭ２、およびこのモータＭ２を制御するための回路基板３Ｂが収容された構成を有しており、ケーシング１Ｂの上部には、操作部８１が設けられている。この駆動ユニットＡ２においては、操作部８１が下向きに押圧操作されて、スイッチ用押圧部８１ａが下降し、回路基板３Ｂのスイッチ部３０が押圧されてオンになると、モータＭ２がカム８０を回転させる。ケーシング１Ｂ内には、カムフォロア部８２ａを有する可動体８２がバネ８３の弾発力によって上向きに付勢された状態に設けられており、この可動体８２は、カム８０の回転動作に対応して昇降する。可動体８２には、ワイヤＷの一端が連結されているが、このワイヤＷの他端は、浴槽の排水栓（図示略）に連結されている。浴槽の排水栓は、可動体８２の昇降に伴ってワイヤＷによって引っ張られた状態と、そのような引っ張りを受けない状態とに切り替え可能であり、このことに基づいて開閉する。
【００３２】
この駆動ユニットＡ２は、浴室内に設置され、ケーシング１Ｂ内への水の進入を防止する必要があるために、ケーシング１Ｂのうち、通気口１０の形成箇所以外の各所は、気密シールが適宜図られた防水構造とされている。通気口４、通気防水シート５、および筒状突出部６は、ケーシング１Ｂの下壁部１０に設けられているが、この部分の構造は、前記実施形態の図１（ｃ）に示した構造と同様であり、その詳細は省略する。
【００３３】
本実施形態の浴槽排水栓用の駆動ユニットＡ２によれば、通気口４、通気防水シート５、および筒状突出部６の構成に基づき、前記実施形態について述べたのと同様な効果が得られる。その概要を簡単に再度説明すると、まずケーシング１Ｂの気密シール性能を検査する際には、筒状突出部６を利用して検査用の機器７を容易かつ適切に配管接続することができる。通気防水シート５については、前記の検査の後にケーシング１Ｂに装着することができるために、通気防水シート５が前記検査時の空気供給に対する大きな抵抗になることを回避可能である。また、通気防水シート５がケーシング１Ｂの外面部から剥離することもない。ケーシング１Ｂに湯水が掛かった場合に、通気口４に湯水が進入して通気口４が塞がれることも防止される。さらに、通気口４が有する小径の孔部４１は、多くの水蒸気がケーシング１Ｂ内に進入することを抑制し、ケーシング１Ｂ内が高湿化し難くなるなど、種々の好ましい効果が得られる。
【００３４】
図５は、浴室設置機器としての風呂給湯用のリモコンＡ３を示している。このリモコンＡ３は、浴室の壁面９０に設置され、給湯器の動作制御を行なうのに用いられる。より具体的には、リモコンＡ３は、ケーシング１Ｃ内に回路基板３Ｃが収容された構成を有し、ケーシング１Ｃの前面部には、液晶パネルなどを用いて構成されたデータ表示部８４や、操作スイッチ８５が設けられている。ケーシング１Ｃは、ベース部材１５、このベース部材１５の前面側に装着される前部材１６、およびこの前部材１６の前面側から装着されて前部材１６やベース部材１５の側面部を覆うカバー体１７を組み合わせた防水構造とされている。
【００３５】
リモコンＡ３を浴室の壁面９０に設置するための手段としては、たとえばケーシング１Ｃを浴室の壁面９０にネジ止めする手段（図示略）が採用されている。ケーシング１Ｃの背面部には、浴室の壁面９０に当接する凸状部１８が形成されており、ベース部材１５と浴室の壁面９０との間には、適当な幅Ｌａの隙間９２が形成されている。壁面９０には、電気配線１９の挿通用の貫通孔９１が形成されており、この貫通孔９１を介して隙間９２は外部と連通している。通気口４は、ケーシング１Ｃのベース部材１５に貫通して設けられ、かつ筒状突出部６は、ベース部材１５からその背後に向けて突出している。この筒状突出部６は、その先端開口部が浴室の壁面９０に当接せず、かつ壁面９０によって塞がれないように設けられている。このことにより、通気口４を介して隙間９２とケーシング１Ｃ内とは連通し、ケーシング１Ｃ内への空気の流出入が可能となっている。通気防水シー
ト５は、筒状突出部６内に挿入されてベース部材１５の外面部に接着されている。通気口４、筒状突出部６、および通気防水シート５に関する構造は、それらの向きが横向き（通気口４などが水平方向を向いた姿勢）である点で、前記実施形態とは相違するものの、これ以外の構成については、図１（ｃ）に示した構成と同様である。
【００３６】
前記したリモコンＡ３が浴室の壁面９０に設置される場合、通常は、ケーシング１Ｃの周囲にコーキング材９５が設けられ、リモコンＡ３の背面の隙間９２への水の進入は防止される。ただし、このようなコーキング処理に不備があるような場合には、リモコンＡ３の背面の隙間９２に水が進入する場合はあり得る。このように、隙間９２に水が進入する場合であっても、この水は通気防水シート５によって遮断され、ケーシング１Ｃ内に進入することが無いことは勿論のこと、通気口４に水が進入することもなく、通気口４が水膜によって塞がれるといった不具合はない。その他、本実施形態においても、図１（ｃ）などに示した構成について述べたのと同様な効果が得られる。
【００３７】
本発明は、上述した実施形態の内容に限定されない。本発明に係る浴室設置機器の各部の具体的な構成は、本発明が意図する範囲内において、種々に設計変更自在である。
【００３８】
通気防水シートは、筒状突出部内に挿入されて、浴室設置機器のケーシングの外面部に対面するようにして通気口よりも外側に設けられていればよく、必ずしも接着剤を用いてケーシングの外面部に接着されていなくてもよい。たとえば、前記実施形態で述べたように、ＣＲ型止め輪を利用して通気防水シートの位置決めを図る場合には、通気防水シートがケーシングの外面部とＣＲ型止め輪の間に挟まれて固定されただけであってもよい。また、通気防水シートを固定させるための手段としては、ＣＲ型止め輪またはこれに相当する手段を用いることなく、通気防水シートをケーシングの外面部に接着剤を利用して接着させるだけの構成とすることもできる。通気防水シートは、通気性を有しつつ、通水性を有しないシートであればよく、その具体的な材質などは問わない。
【００３９】
筒状突出部は、円筒状に形成することが好ましいものの、これに限定されず、たとえば角筒状などに形成することも可能である。
【００４０】
本発明でいう浴室設置機器とは、浴室に設置される機器全般を指す。したがって、前記したバルブユニット、浴室排水栓用の駆動ユニット、および風呂給湯用のリモコン以外として、たとえば浴槽洗浄用の機器、浴室テレビ、浴室オーディオ機器なども本発明でいう浴室設置機器に含まれる。
【符号の説明】
【００４１】
Ａ１  バルブユニット（浴室設置機器）
Ａ２  浴槽排水栓用の駆動ユニット（浴室設置機器）
Ａ３  風呂給湯用のリモコン（浴室設置機器）
Ｍ１，Ｍ２  モータ（電気部品）
１Ａ〜１Ｃ  ケーシング
２Ａ〜２Ａ  回路基板（電気部品）
４  通気口
５  通気防水シート
６  筒状突出部
４０  凹状部（通気口の）
４１  孔部（通気口の）
【図１】
0005871182.tif 000002
【図２】
0005871182.tif 000003
【図３】
0005871182.tif 000004
【図４】
0005871182.tif 000005
【図５】
0005871182.tif 000006